(57)【特許請求の範囲】
【請求項１】
機器の表面の少なくとも一部を覆うケースと、
前記機器の表面に一部が露出し、前記ケースの表面に沿った方向へスライドするスライド操作部と、
前記ケースに設けられ、前記スライド操作部を保持するとともに、前記スライド操作部の前記ケースの表面に沿った方向へのスライドをガイドするガイド部と、
前記ケースに設けられ、前記スライド操作部のスライドにより変化する位置を検出する検出素子と、
を備え、
前記ガイド部は、前記スライド操作部がスライドする方向に沿って、前記スライド操作部の両側部をガイドするように一対のガイド保持部が設けられ、
前記一対のガイド保持部それぞれは、起立して設けられた垂直部と、前記垂直部の上端部からガイド部の上方中心部に向けて突出した水平部と、を備え、
前記スライド操作部は、前記機器の表面に突出する操作本体部と、前記操作本体部の両側下部に設けられた一対のスライド突起部が設けられ、
前記一対のスライド突起部は、前記一対のガイド保持部内に配置され、それぞれのスライド突起部は、外端面が前記ガイド保持部の垂直部の内面に対面し、上面が前記ガイド保持部の水平部の下面に対面し、
前記操作本体部は、中空状であり、前記操作本体部の内部に垂下された接触部が設けられ、
前記接触部は、前記ガイド部に配置された前記検出素子に接触した状態で、前記スライド操作部のスライドに応じて移動可能に設けられているスライドスイッチ。
【請求項２】
請求項１に記載のスライドスイッチにおいて、
前記一対のガイド保持部の各垂直部と各水平部とは、前記ガイド部に一体に形成されていることを特徴とするスライドスイッチ。
【請求項３】
長手方向の両側部にガイド保持部を有する帯状のガイド部と、
前記ガイド保持部によってスライド可能に保持されたスライド操作部と、
前記ガイド部の長手方向に沿って配置され、前記ガイド部上における前記スライド操作部の位置を検出する検出素子と、
を備え、
前記ガイド部は、可撓性を有し、取付部材によってケース本体にその形状に沿って取り付けられていることを特徴とするスライドスイッチ。
【請求項４】
機器の表面の少なくとも一部を覆うケースと、
前記機器の表面に一部が露出し、前記ケースの表面に沿った方向へスライドするスライド操作部と、
前記ケースに設けられ、前記スライド操作部を保持するとともに、前記スライド操作部の前記ケースの表面に沿った方向へのスライドをガイドするガイド部と、
前記ケースに設けられ、前記スライド操作部が圧接した状態でスライドすることにより前記スライド操作部のスライド位置上に発生するひずみを検出する圧電素子であって、前記スライド操作部のスライドにより変化する位置を検出する検出素子と、
を備えた電子機器。
【請求項５】
請求項１乃至３のいずれかに記載のスライドスイッチと、
前記検出素子で検出される前記スライド操作部の位置に応じて楽音の発生を制御する制御部と、
を備え、
前記検出素子は静電素子で構成され、前記スライド操作部は導電体を備え、前記導電体の下端部を前記検出素子にスライド可能に接触させ、かつ前記導電体の上端部を前記スライド操作部の上端部に露出させることを特徴とする楽器。
【発明の詳細な説明】
【技術分野】
【０００１】
この発明は、楽器、携帯電話機、携帯情報処理装置などの電子機器に用いられるスライドスイッチおよびそれを備えた電子機器および楽器に関する。
【背景技術】
【０００２】
例えば、携帯情報処理装置のスライドスイッチにおいては、特許文献１に記載されているように、機器ケースの開口部にスライド操作板をスライド可能に配置し、このスライド操作板を機器ケース内に設けられた可変抵抗器の操作子に連結させることにより、スライド操作板のスライド操作に応じて可変抵抗器の操作子をスライドさせるように構成されたものが知られている。
【先行技術文献】
【特許文献】
【０００３】
【特許文献１】特開平０８−７８２１１号公報
【０００４】
この種のスライドスイッチは、可変抵抗器を機器ケース内に配置するために、機器ケース内に支持板を取り付け、この支持板上に可変抵抗器を固定する必要があり、また可変抵抗器の操作子と機器ケースのスライド操作板とを連結するために、スライド操作板を弾性材で形成し、このスライド操作板に可変抵抗器の操作子を連結させるように構成されている。
【発明の概要】
【発明が解決しようとする課題】
【０００５】
しかしながら、このようなスライドスイッチでは、機器ケースの形状に沿って弾性材のスライド操作板をスライドさせることができても、機器ケース内に取り付けられた支持板、およびこの支持板上に設けられた可変抵抗器を、機器ケースの形状に追従させて配置することができない場合がある。
【０００６】
このため、このスライドスイッチでは、機器ケースのスライド操作板の移動軌跡と、可変抵抗器の操作子の移動軌跡とが、必ずしも平行にならない場合がある。このような場合には、スライド操作板をスライド操作する際に、スライド操作板によって可変抵抗器の操作子を安定した状態でスライドさせることができないという問題が生じる。
【０００７】
この発明が解決しようとする課題は、ケース本体にその形状に追従させて配置することができ、ケース本体の形状に応じて安定した状態で良好にスライド操作することができるスライドスイッチおよびそれを備えた電子機器および楽器を提供することである。
【課題を解決するための手段】
【０００８】
この発明によるスライドスイッチの一態様では、機器の表面の少なくとも一部を覆うケースと、前記機器の表面に一部が露出し、前記ケースの表面に沿った方向へスライドするスライド操作部と、前記ケースに設けられ、前記スライド操作部を保持するとともに、前記スライド操作部の前記ケースの表面に沿った方向へのスライドをガイドするガイド部と、前記ケースに設けられ、前記スライド操作部のスライドにより変化する位置を検出する検出素子と、を備え、前記ガイド部は、前記スライド操作部がスライドする方向に沿って、前記スライド操作部の両側部をガイドするように一対のガイド保持部が設けられ、前記一対のガイド保持部それぞれは、起立して設けられた垂直部と、前記垂直部の上端部からガイド部の上方中心部に向けて突出した水平部と、を備え、前記スライド操作部は、前記機器の表面に突出する操作本体部と、前記操作本体部の両側下部に設けられた一対のスライド突起部が設けられ、前記一対のスライド突起部は、前記一対のガイド保持部内に配置され、それぞれのスライド突起部は、外端面が前記ガイド保持部の垂直部の内面に対面し、上面が前記ガイド保持部の水平部の下面に対面し、前記操作本体部は、中空状であり、前記操作本体部の内部に垂下された接触部が設けられ、前記接触部は、前記ガイド部に配置された前記検出素子に接触した状態で、前記スライド操作部のスライドに応じて移動可能に設けられていることを特徴とする。
【発明の効果】
【０００９】
この発明によれば、ガイド部、ガイド保持部、および検出素子をケース本体の形状に沿わせて配置することができるので、ガイド部のガイド保持部に沿ってスライド操作部をスライドさせる際に、スライド操作部をケース本体の形状に沿って安定した状態で良好にスライドさせることができ、このためスライド操作部のスライド位置を検出素子によって正確に検出することができる。これにより、ケース本体にその形状に追従させてガイド部および検出素子を配置することができると共に、ケース本体の形状に応じて安定した状態でスライド操作部を良好にスライド操作することができる。
【図面の簡単な説明】
【００１０】
【図１】この発明を電子鍵盤楽器に適用した第１実施形態を示した平面図である。
【図２】図１に示された電子鍵盤楽器のＡ−Ａ矢視における要部を示した拡大断面図である。
【図３】図１に示されたスライドスイッチを示した拡大平面図である。
【図４】図３に示されたスライドスイッチのＢ−Ｂ矢視における断面図である。
【図５】図３に示されたスライドスイッチのＣ−Ｃ矢視における拡大断面図である。
【図６】この発明を電子鍵盤楽器に適用した第２実施形態における要部を示した拡大断面図である。
【図７】図６に示されたスライドスイッチのＤ−Ｄ矢視における拡大断面図である。
【図８】この発明のスライドスイッチの変形例を示した要部の拡大断面図である。
【発明を実施するための形態】
【００１１】
（第１実施形態）
以下、図１〜図５を参照して、この発明を電子鍵盤楽器に適用した第１実施形態について説明する。
この電子鍵盤楽器は、図１および図２に示すように、楽器ケース１を備えている。この楽器ケース１は、下部ケース２と上部ケース３とを備え、下部ケース２内に鍵盤部４が上方に露呈した状態で設けられるように構成されている。
【００１２】
鍵盤部４は、図１および図２に示すように、鍵盤シャーシ５ａと、この鍵盤シャーシ５ａ上に並列に配列された複数の鍵５ｂと、を備えている。鍵盤シャーシ５ａは、楽器ケース１の下部ケース２内に設けられている。複数の鍵５ｂは、白鍵と黒鍵とを有し、鍵盤シャーシ５ａの鍵支持部５ｃに上下方向に回転可能に設けられている。
【００１３】
この場合、上部ケース３は、図１および図２に示すように、鍵盤部４の後方（図１では上辺側）に位置する個所、および鍵５ｂの配列方向（図１では左右方向）における鍵盤部４の両側部に位置する個所において、下部ケース２上に設けられている。これにより、鍵盤部４は、その後端部を除いて、上部ケース３で覆われることなく、上側に露出するように構成されている。
【００１４】
また、上部ケース３には、図１に示すように、スピーカ部６、押釦スイッチ７、およびスライドスイッチ８が設けられている。スピーカ部６は、複数のスピーカを備え、これらが上部ケース３の後部側における鍵５ｂの配列方向の両側にそれぞれ配置されている。押釦スイッチ７は、電源のオン―オフ、モード切替などを行うスイッチであり、上部ケース３の上面における中央より左側に複数配置されている。
【００１５】
スライドスイッチ８は、図１に示すように、音量を調整するための音量スイッチ、音色のパラメータを選択する音色スイッチ、演奏中の楽音に効果を付与するピッチベンドスイッチなどの各種のスイッチであり、上部ケース３の上面における中央より右側に複数配置されている。
【００１６】
これらのスライドスイッチ８それぞれは、図２〜図５に示すように、一対のガイド保持部１１を有する帯状のガイド部１０と、このガイド部１０のガイド保持部１１にスライド可能に保持されたスライド操作部１２と、このスライド操作部１２のスライド位置を検出する検出素子１３と、を備えている。
【００１７】
この場合、上部ケース３は、図２に示すように、その上面が前側（図２では左側）から後側（図２では右側）に向けて次第に高くなる傾斜面に形成されている。ガイド部１０は、ウレタン樹脂、シリコーン樹脂、エラストマー、ゴムなどの可撓性を有する材料からなり、図３〜図５に示すように、全体がほぼ帯状板に形成されている。
【００１８】
このガイド部１０は、図１および図２に示すように、楽器ケース１の上部ケース３の上面に、その前後方向（図２では左右方向）に沿って、両面接着テープや接着剤などの接着材１４によって接着されている。すなわち、このガイド部１０は、その下面に接着材１４が設けられ、この接着材１４によって上部ケース３の上面に接着された際に、上部ケース３の上面の形状に沿って配置されるように構成されている。
【００１９】
この場合、上部ケース３の上面は、この第１実施形態では平らな形状の傾斜面に形成されているが、例えば上部ケース３の上面が湾曲面に形成されている場合には、ガイド部１０が、上部ケース３の上面の湾曲面の形状に沿って屈曲することにより、上部ケース３の上面の湾曲面と同じ形状に追従して湾曲した状態で、上部ケース３の上面に配置される。
【００２０】
また、このガイド部１０の長手方向の両側部には、図３〜図５に示すように、一対のガイド保持部１１がガイド部１０の長手方向に沿って設けられている。これら一対のガイド保持部１１は、ガイド部１０が上部ケース３の上面にその形状に沿って配置されることにより、このガイド部１０と共に上部ケース３の上面にその形状に沿って配置されるように構成されている。
【００２１】
これら一対のガイド保持部１１は、図５に示すように、ガイド部１０の長手方向の両側部にそれぞれ起立して設けられた各垂直部１１ａと、これら各垂直部１１ａの上端部からガイド部１０の上方に向けてそれぞれ突出した各水平部１１ｂと、を備えている。この場合、ガイド部１０の長手方向に位置する両端部には、ストッパ部１１ｃが設けられている。また、垂直部１１ａと水平部１１ｂとが交差する内面は、円弧状に形成されている。
【００２２】
一方、スライド操作部１２は、図２〜図５に示すように、縦長で中空状の操作本体部１２ａと、この操作本体部１２ａの両側下部に設けられた一対のスライド突起部１２ｂと、操作本体部１２ａの内部中心に垂下された接触部１２ｃと、を備えている。操作本体部１２ａは、その下部が一対のガイド保持部１１における互いに対向する各水平部１１ｂ間に配置され、上部が一対のガイド保持部１１の上方に突出するように構成されている。
【００２３】
この操作本体部１２ａは、図２〜図５に示すように、その上部が上方に向けて次第に狭くなるほぼ三角形の箱形状に形成されている。一対のスライド突起部１２ｂは、一対のガイド保持部１１内に配置され、この状態で一対のガイド保持部１１に沿ってスライドするように構成されている。すなわち、スライド突起部１２ｂは、その下面がガイド部１０の上面に配置された状態で、外端面がガイド保持部１１の垂直部１１ａの内面に対面し、上面がガイド保持部１１の水平部１１ｂの下面に対面するように構成されている。
【００２４】
これにより、スライド突起部１２ｂは、図３〜図５に示すように、一対のガイド保持部１１内にそれぞれ配置されることにより、一対のガイド保持部１１に保持され、この状態で一対のガイド保持部１１に沿ってガイドされて、ガイド部１０の長手方向に沿ってスライドするように構成されている。この場合、一対のスライド突起部１２ｂの全表面には、一対のガイド保持部１１に対して滑り易くするために、グリスなどの潤滑剤（図示せず）が塗布されていることが望ましい。
【００２５】
接触部１２ｃは、図５に示すように、操作本体部１２ａの内側上部から垂下され、この垂下された下部が逆円錐状に形成され、この逆円錐部の下部がガイド部１０の上面に配置された検出素子１３に圧接し、この状態で検出素子１３上をガイド部１０の長手方向に沿って移動するように構成されている。
【００２６】
検出素子１３は、図４および図５に示すように、スライド操作部１２のスライド動作に応じて、スライド操作部１２のスライド位置を検出するものである。すなわち、この検出素子１３は、スライド操作部１２の接触部１２ｃが圧接した状態でスライドすることにより、スライド操作部１２のスライド位置に対応する個所のひずみを電気的に検出する圧電素子である。
【００２７】
この検出素子１３は、図４および図５に示すように、屈曲可能なシート状に形成され、ガイド部１０の上面にガイド保持部１１のガイド方向に沿って帯状に配置されている。この場合、検出素子１３は、その長手方向の長さがガイド部１０の上面における長手方向の長さと同じ長さに形成されている。
【００２８】
また、この検出素子１３は、図４および図５に示すように、その長手方向と直交する方向の長さ（幅）が、スライド操作部１２における一対のスライド突起部１２ｂ間の長さよりも少し短く形成されている。これにより、検出素子１３は、一対のスライド突起部１２ｂが接触することがなく、その上面の中間部上をスライド操作部１２の接触部１２ｃが圧接した状態で長手方向に沿ってスライドするように構成されている。
【００２９】
また、この検出素子１３は、図２〜図４に示すように、接続部材１５によって楽器ケース１内に設けられた回路基板１６と電気的に接続されるように構成されている。この接続部材１５は、図２〜図４に示すように、検出素子１３の長手方向における一端部に接続されたフレキシブルな配線基板１５ａと、この配線基板１５ａにおける検出素子１３と反対側に位置する端部に設けられたコネクタ部１５ｂと、を備えている。
【００３０】
回路基板１６は、図２に示すように、楽器ケース１内における鍵盤部４の後方に位置し、上部ケース３から垂下された取付リブ３ａの下端部に取り付けられている。この回路基板１６には、接続部材１５のコネクタ部１５ｂが接続されるコネクタ部１６ａが、楽器ケース１の背面、つまり上部ケース３の後部側に位置する背面から露出した状態で設けられている。
【００３１】
これにより、接続部材１５は、図２に示すように、検出素子１３に接続された配線基板１５ａのコネクタ部１５ｂが回路基板１６のコネクタ部１６ａに接続されることにより、検出素子１３で検出した電気信号を楽器ケース１内の回路基板１６の電子回路１８に与えるように構成されている。
【００３２】
ところで、ガイド部１０には、図３〜図５に示すように、防塵シート１７が設けられている。この防塵シート１７は、帯状の布であり、その周縁部がガイド保持部材１１の水平部１１ｂの下面およびストッパ部１１ｃに接着され、ガイド部１０の長手方向と直交する方向における中間部に切断部１７ａがガイド部１０の長手方向に沿って設けられた構成になっている。
【００３３】
これにより、防塵シート１７は、図３に示すように、切断部１７ａを通してスライド操作部１２の操作本体部１２ａが防塵シート１７の上方に突出し、この状態で操作本体部１２ａが切断部１７ａを押し広げながらスライドすると共に、押し広げられた切断部１７ａが操作本体部１２ａのスライド方向における前後部で、互いに接近して閉じるように構成されている。
【００３４】
次に、このような電子鍵盤楽器の作用について説明する。
この電子鍵盤楽器で演奏する場合には、まず、押釦スイッチ７の電源スイッチをオンさせ、この状態で楽器ケース１の上方に露呈している鍵盤部４の鍵５ｂを押鍵操作する。すると、鍵５ｂの押鍵操作に応じた楽音がスピーカ部６から放音される。このとき、音量を調整したい場合には、音量調整用のスライドスイッチ８を操作して、音量を調整する。
【００３５】
すなわち、スライドスイッチ８のスライド操作部１２を指で摘んで、ガイド部１０の長手方向に沿ってスライドさせる。例えば、スライド操作部１２の操作本体部１２ａを楽器ケース１の前側から後側に向けて押すと、スライド操作部１２の一対のスライド突起部１２ｂがガイド部１０の一対のガイド保持部１１で保持された状態で、一対のガイド保持部１１にガイドされて移動する。
【００３６】
この場合には、一対のスライド突起部１２ｂがガイド部１０の上面と一対のガイド保持部１１の各水平部１１ｂとの間に挟まれていることにより、上下方向にガタツクことなくスライドすると共に、一対のスライド突起部１２ｂの各外端部が一対のガイド保持部１１の各垂直部１１ａ間に挟まれていることにより、ガイド部１０の長手方向の左右方向にガタツクことなくスライドする。
【００３７】
このようにしてスライド操作部１２がスライドする際には、スライド操作部１２の操作本体部１２ａが防塵シート１７をその切断部１７ａで押し広げながらスライドする。また、このときには、スライド操作部１２の接触部１２ｃがガイド部１０の上面に設けられた検出素子１３を押圧しながら検出素子１３の長手方向に沿って移動する。
【００３８】
これにより、検出素子１３は、スライド操作部１２の接触部１２ｃが圧接した状態でスライドすることにより、スライド操作部１２の接触部１２ｃによって検出素子１３が部分的にひずみ、この検出素子１３の部分的なひずみに応じて電気信号が出力され、この出力された電気信号がスライド操作部１２のスライド位置情報として検出される。
【００３９】
この検出素子１３で検出されたスライド位置情報の電気信号は、接続部材１５によって楽器ケース１内の回路基板１６の電子回路１８に与えられ、この与えられた電気信号に基づいて回路基板１６の電子回路１８でスピーカ部６から放音される音量が制御され、これによりスライド操作部１２のスライド操作に応じた音量の楽音がスピーカ部６から良好に放音される。
【００４０】
このように、この電子鍵盤楽器のスライドスイッチ８によれば、楽器ケース１の形状に沿い、かつ一対のガイド保持部１１を有するガイド部１０と、このガイド部１０の一対のガイド保持部１１にスライド可能に保持されたスライド操作部１２と、ガイド部１０に一対のガイド保持部１１のガイド方向に沿って配置され、スライド操作部１２のスライド動作に応じてスライド操作部１２のスライド位置を検出する屈曲可能なシート状の検出素子１３と、を備えていることにより、楽器ケース１にその形状に追従させてガイド部１０を配置することができ、楽器ケース１の形状に応じて安定した状態で、スライド操作部１２を良好に操作することができる。
【００４１】
すなわち、このスライドスイッチ８では、ガイド部１０、一対のガイド保持部１１、および検出素子１３を楽器ケース１の形状に沿わせて配置することができるので、ガイド部１０の一対のガイド保持部１１に沿ってスライド操作部１２をスライドさせる際に、スライド操作部１２を楽器ケース１の形状に沿って安定した状態でスライドさせることができ、このためスライド操作部１２のスライド位置を検出素子１３によって正確にかつ良好に検出することができる。
【００４２】
これにより、このスライドスイッチ８では、楽器ケース１にその形状に追従させて、ガイド部１０、一対のガイド保持部１１、および検出素子１３を配置することができると共に、楽器ケース１の形状に応じて安定した状態で、スライド操作部１２を良好に操作することができる。
【００４３】
また、このスライドスイッチ８では、楽器ケース１の形状が、ガイド部１０、一対のガイド保持部１１、および検出素子１３による影響を受けることがなく、楽器ケース１の形状が、ガイド部１０、一対のガイド保持部１１、および検出素子１３によって制約を受けることがないので、楽器ケース１を自由な形状に形成でき、デザイン性に優れたものを提供することができる。
【００４４】
この場合、ガイド部１０の一対のガイド保持部１１は、ガイド部１０の長手方向の両側部にそれぞれ起立して設けられた各垂直部１１ａと、これら各垂直部１１ａの上端部からガイド部１０の上方に向けてそれぞれ突出した各水平部１１ｂと、を備えており、スライド操作部１２は、縦長で中空状の操作本体部１２ａの下部両側に設けられた一対のスライド突起部１２ｂを備えていることにより、一対のガイド保持部１１によってスライド操作部１２の一対のスライド突起部１２ｂを円滑にかつ良好にガイドすることができる。
【００４５】
すなわち、このスライドスイッチ８では、一対のスライド突起部１２ｂがガイド部１０の上面と一対のガイド保持部１１の各水平部１１ｂとの間に挟まれていることにより、上下方向にガタツクことなく、一対のスライド突起部１２ｂを一対のガイド保持部１１によって良好にスライドさせることができると共に、一対のスライド突起部１２ｂの各外端部が一対のガイド保持部１１の各垂直部１１ａ間に挟まれていることにより、ガイド部１０の長手方向の左右方向にガタツクことなく、一対のスライド突起部１２ｂを一対のガイド保持部１１によって良好にスライドさせることができる。
【００４６】
また、このスライドスイッチ８では、ガイド部１０が、ウレタン樹脂、シリコーン樹脂、エラストマー、ゴムなどの可撓性を有する材料によって、ほぼ帯状板に形成されていることにより、楽器ケース１の上面、つまり上部ケース３の上面にその形状に沿ってガイド部１０を配置することができる。この場合、上部ケース３の上面が湾曲していても、また上部ケース３の上面から背面に亘って配置する場合においても、ガイド部１０を上部ケース３の形状に沿って屈曲させて良好に配置することができる。
【００４７】
また、ガイド部１０は、取付部材である接着材１４によって楽器ケース１にその形状に沿って取り付けられていることにより、ガイド部１０を楽器ケース１の上面である上部ケース３の上面に接着材１４によって接着する際に、ガイド部１０を上部ケース３の上面にその形状に沿って密着させた状態で確実にかつ良好に配置させることができる。このため、スライド操作部１２を楽器ケース１の形状に沿ってスライドさせることができると共に、スライド操作部１２のスライド位置を検出素子１３によって正確にかつ良好に検出することができる。
【００４８】
また、このスライドスイッチ８の検出素子１３は、スライド操作部１２が圧接した状態でスライドする際に、スライド操作部１２のスライド位置に対応する個所のひずみを電気的に検出する圧電素子であることにより、スライド操作部１２をスライドさせた際に、スライド操作部１２によって検出素子１３が部分的にひずみ、この検出素子１３の部分的なひずみによって出力される電気信号をスライド操作部１２のスライド位置情報として正確に検出することができる。
【００４９】
この場合、検出素子１３は、屈曲性を有するシート状に形成されていることにより、ガイド部１０が上部ケース３の上面の形状に沿って配置されていても、ガイド部１０の上面にその形状に応じて検出素子１３を屈曲させて配置することができ、これによりスライド操作部１２のスライド操作に応じて検出素子１３を安定した一定の状態で部分的にひずませることができるので、スライド操作部１２のスライド位置を正確に検出することができる。
【００５０】
さらに、このスライドスイッチ８では、検出素子１３を楽器ケース１内に設けられた回路基板１６の電子回路１８と電気的に接続する接続部材１５を備えていることにより、検出素子１３で検出されたスライド操作部１２のスライド位置情報の電気信号を、接続部材１５によって楽器ケース１内の回路基板１６の電子回路１８に与えることができる。これにより、スライド操作部１２のスライド位置情報に基づいて、回路基板１６の電子回路１８によって例えばスピーカ部６から放音される音量を正確に調整することができる。
【００５１】
なお、上述した第１実施形態では、ガイド部１０を上部ケース３の上面に両面接着テープや接着剤などの接着材１４によって接着した場合について述べたが、必ずしも接着材１４で接着する必要はなく、例えば複数のビスなどの締結部材によってガイド部１０を上部ケース３の上面にその形状に追従させて取り付けるように構成しても良い。
【００５２】
（第２実施形態）
次に、図６および図７を参照して、この発明を電子鍵盤楽器に適用した第２実施形態について説明する。なお、図１〜図５に示された第１実施形態と同一部分には同一符号を付して説明する。
この電子鍵盤楽器は、図６および図７に示すように、スライドスイッチ２０が第１実施形態と異なる構成であり、これ以外は第１実施形態とほぼ同じ構成になっている。
【００５３】
すなわち、このスライドスイッチ２０は、図６および図７に示すように、楽器ケース１にガイド部２１を一体に形成した構成であり、これ以外は第１実施形態とほぼ同じ構成になっている。この場合、楽器ケース１は、第１実施形態と同様、下部ケース２と上部ケース３とで構成されている。
【００５４】
この上部ケース３は、図６に示すように、その上面と背面とが交差する後端上部の角部が円弧状に湾曲して形成されている。この上部ケース３には、図６および図７に示すように、開口部２２がその上面手前（図６では上面の左側部）から後端上部の円弧部を経て背面下部（図６では右側面の下部）に亘って細長く設けられている。この開口部２２の周縁部には、上部ケース３の内部に向けて突出するガイドリブ２２ａが一体に形成されている。
【００５５】
ガイド部２１は、図６および図７に示すように、上部ケース３の開口部２２に対応する形状で、上部ケース３のガイドリブ２２ａに一体的に形成されている。すなわち、このガイド部２１は、上部ケース３の上面手前から後端上部の円弧部を経て背面下部に亘る上部ケース３の形状と同じ形状で、上部ケース３の開口部２２に設けられたガイドリブ２２ａの内端部に一体に形成されている。
【００５６】
このガイド部２１の中央部には、図６および図７に示すように、スライド操作部１２をガイドするための一対のガイド保持部２３がガイド部２１の上方に突出して形成されている。すなわち、これら一対のガイド保持部２３は、その間隔がスライド操作部１２の一対のスライド突起部１２ｂを両側から挟む間隔で、ガイド部２１上に上部ケース３の上面手前から後端上部の円弧部を経て背面下部に亘って設けられている。
【００５７】
この場合、上部ケース３の開口部２２には、図６および図７に示すように、カバー部材２４がガイド部２１に対応して取り付けられている。すなわち、このカバー部材２４は、その外周縁が上部ケース３の開口部２２の内周縁に嵌着した状態で取り付けられている。また、このカバー部材２４の中央部には、スライド操作部１２の操作本体部１２ａが挿入した状態でガイド部２１の長手方向に沿って移動するガイド孔２４ａが設けられている。
【００５８】
このガイド孔２４ａは、図６および図７に示すように、その長手方向と直交する方向の長さ（幅）が、操作本体部１２ａのスライド方向と直交する方向の長さとほぼ同じ長さで、ガイド部２１の長手方向に沿って設けられている。これにより、スライド操作部１２は、その操作本体部１２ａがカバー部材２４のガイド孔２４ａ内に下側から挿入されてカバー部材２４の上方に突出し、この状態で操作本体部１２ａがガイド孔２４ａ内をガイド部２１の長手方向に沿ってスライドするように構成されている。
【００５９】
また、このカバー部材２４のガイド孔２４ａの縁部には、図６および図７に示すように、スライド操作部１２の一対のスライド突起部１２ｂの各上面をスライド可能な状態で押えるガイド押え部２４ｂが設けられている。これにより、スライド操作部１２は、一対のスライド突起部１２ｂが一対のガイド保持部２３間に配置され、かつ一対のスライド突起部１２ｂがガイド押え部２４ｂとガイド部２１の上面との間に配置され、この状態で一対のスライド突起部１２ｂがガイドされるように構成されている。
【００６０】
すなわち、このスライド操作部１２は、図６および図７に示すように、一対のスライド突起部１２ｂがガイド部２１とカバー部材２４の各ガイド押え部２４ｂとの間に挟まされていることにより、上下方向にガタツクことなく、ガイド部２１の長手方向に沿ってスライドするように構成されている。
【００６１】
また、このスライド操作部１２は、図６および図７に示すように、一対のスライド突起部１２ｂの各外端部が一対のガイド保持部２３間に挟まれていることにより、ガイド部２１の長手方向の左右方向にガタツクことなく、ガイド部２１の長手方向に沿ってスライドするように構成されている。この場合、一対のスライド突起部１２ｂの全表面には、第１実施形態と同様、一対のガイド保持部２３に対して滑り易くするために、グリスなどの潤滑剤（図示せず）が塗布されていることが望ましい。
【００６２】
一方、ガイド部２１の上面には、第１実施形態と同様、検出素子１３がガイド部２１の長手方向に沿って設けられている。この検出素子１３は、スライド操作部１２の接触部１２ｃが圧接した状態でスライドすることにより、スライド操作部１２のスライド位置に対応する個所のひずみを電気的に検出する圧電素子である。この検出素子１３は、屈曲可能なシート状に形成され、ガイド部２１の上面にガイド保持部２３のガイド方向に沿って帯状に配置されている。
【００６３】
また、この検出素子１３は、図６および図７に示すように、その長手方向の長さがガイド部２１の上面における長手方向の長さと同じ長さで形成されている。すなわち、この検出素子１３は、上部ケース３の上面手前から後端上部の円弧部を経て背面下部に亘って、ガイド部２１上に設けられている。また、この検出素子１３は、その長手方向と直交する方向の長さ（幅）が、スライド操作部１２における一対のスライド突起部１２ｂ間の長さよりも少し短く形成されている。
【００６４】
これにより、検出素子１３は、第１実施形態と同様、一対のスライド突起部１２ｂが接触することがなく、その上面の中間部上をスライド操作部１２の接触部１２ｃが圧接した状態で長手方向に沿ってスライドするように構成されている。また、この検出素子１３は、第１実施形態と同様、接続部材１５によって楽器ケース１内に設けられた回路基板１６と電気的に接続されるように構成されている。
【００６５】
ところで、カバー部材２４には、図６および図７に示すように、そのスライド孔２４ａをスライド操作部１２のスライド動作に応じて開閉自在に塞ぐ防塵シート１７が設けられている。この防塵シート１７は、第１実施形態と同様、切断部１７ａを通してスライド操作部１２の操作本体部１２ａが防塵シート１７の上方に突出し、この状態で操作本体部１２ａが切断部１７ａを押し広げながらスライドすると共に、押し広げられた切断部１７ａが操作本体部１２ａのスライド方向における前後部で、互いに接近して閉じるように構成されている。
【００６６】
次に、このような電子鍵盤楽器のスライドスイッチ２０の作用について説明する。
このスライドスイッチ２０で、第１実施形態と同様、例えば音量を調整する場合には、スライドスイッチ２０のスライド操作部１２を指で摘んで、ガイド部２１の長手方向に沿ってスライドさせる。
【００６７】
例えば、スライド操作部１２の操作本体部１２ａを楽器ケース１の前側から後側に向けてスライドさせると、スライド操作部１２の一対のスライド突起部１２ｂがガイド部２１の一対のガイド保持部２３で保持された状態で、一対のガイド保持部２３にガイドされて移動する。
【００６８】
この場合には、一対のスライド突起部１２ｂがガイド部２１の上面とカバー部材２４の各ガイド押え部２４ｂとの間に挟まれていることにより、上下方向にガタツクことなくスライドすると共に、一対のスライド突起部１２ｂの各外端部が一対のガイド保持部２３間に挟まれていることにより、ガイド部２１の長手方向の左右方向にガタツクことなくスライドする。
【００６９】
このときには、スライド操作部１２の操作本体部１２ａが、第１実施形態と同様、防塵シート１７をその切断部１７ａで押し広げながらスライドする。また、このときには、スライド操作部１２の接触部１２ｃがガイド部２１の上面に設けられた検出素子１３の上面に圧接しながら検出素子１３の長手方向に沿って移動する。
【００７０】
これにより、検出素子１３は、第１実施形態と同様、スライド操作部１２の接触部１２ｃが圧接した状態でスライドする際に、スライド操作部１２の接触部１２ｃによって検出素子１３が部分的にひずみ、この検出素子１３の部分的なひずみによって電気信号が出力され、この出力された電気信号がスライド操作部１２のスライド位置情報として検出される。
【００７１】
そして、検出素子１３で検出されたスライド位置情報の電気信号は、第１実施形態と同様、接続部材１５によって楽器ケース１内の回路基板１６の電子回路１８に与えられ、この与えられたスライド位置情報の電気信号に基づいて、回路基板１６の電子回路１８でスピーカ部６から放音される音量が制御され、これによりスライド操作部１２のスライド操作に応じた音量で楽音がスピーカ部６から良好に放音される。
【００７２】
この場合、ガイド部２１、一対のガイド保持部２３、検出素子１３、およびカバー部材２４が楽器ケース１の上部ケース３における上面手前側から後端上部の円弧部を経て上部ケース３の背面下部に亘って設けられていることにより、スライド操作部１２を上部ケース３の上面手前側から後端上部の円弧部を経て上部ケース３の背面下部に亘って移動させることができる。
【００７３】
このため、この第２実施形態のスライドスイッチ２０は、第１実施形態に比べて、スライド操作部１２のスライド長さが大幅に長くなり、検出素子１３によってスライド操作部１２のスライド位置を検出する検出長さが大幅に長くなる。これにより、検出素子１３で検出されたスライド位置情報がきめ細かく検出され、このスライド位置情報によって音量がきめ細かく調整される。
【００７４】
このように、この電子鍵盤楽器のスライドスイッチ２０によれば、第１実施形態と同様の作用効果がるほか、ガイド部２１が楽器ケース１の上部ケース３にその形状に沿って一体に形成されていることにより、一対のガイド保持部２３および検出素子１３を上部ケース３にその形状に追従させて配置することができると共に、スライド操作部１２を上部ケース３の形状に応じて安定させた状態で円滑にかつ良好にスライド操作させることができる。
【００７５】
この場合、一対のガイド保持部２３は、ガイド部２１の長手方向の両側部にそれぞれ起立して設けられており、スライド操作部１２は、その操作本体部１２ａの下部両側に設けられた一対のスライド突起部１２ｂの各外端部が、ガイド部２１の一対のガイド保持部２３間に挟まれた状態で、上部ケース３の開口部２２に取り付けられたカバー部材２４の各ガイド押え部２４ｂとガイド部２１との間に挟まれていることにより、一対のガイド保持部２３によってスライド操作部１２の一対のスライド突起部１２ｂを円滑にかつ良好にガイドすることができる。
【００７６】
すなわち、このスライドスイッチ２０では、一対のスライド突起部１２ｂがガイド部２１の上面とカバー部材２４の各ガイド押え部２４ｂの下面との間にスライド可能に挟まれていることにより、上下方向にガタツクことなく、一対のスライド突起部１２ｂを一対のガイド保持部２３によってガイド部２１の長手方向に沿って円滑にかつ良好にスライドさせることができる。
【００７７】
また、このスライドスイッチ２０では、一対のスライド突起部１２ｂの各外端部が一対のガイド保持部２３間にスライド可能に挟まれていることにより、ガイド部２１の長手方向の左右方向にガタツクことなく、一対のスライド突起部１２ｂを一対のガイド保持部２３によってガイド部２１の長手方向に沿って円滑にかつ良好にスライドさせることができる。
【００７８】
さらに、このスライドスイッチ２０では、ガイド部２１が上部ケース３における上面手前側から後端上部の円弧部を経て上部ケース３の背面下部に亘って設けられているので、これに伴って一対のガイド保持部２３および検出素子１３を上部ケース３における上面手前側から後端上部の円弧部を経て上部ケース３の背面下部に亘って設けることができ、これによりスライド操作部１２を上部ケース３の上面手前側から後端上部の円弧部を経て上部ケース３の背面下部に亘って移動させることができる。
【００７９】
このため、このスライドスイッチ２０では、スライド操作部１２のスライド長さを、第１実施形態に比べて、大幅に長くすることができるので、検出素子１３によってスライド操作部１２のスライド位置を検出する検出長さを大幅に長くすることができる。これにより、検出素子１３で検出されるスライド位置情報をきめ細かく検出することができ、この検出されたスライド位置情報に基づいて例えば音量などをきめ細かく調整することができる。
【００８０】
なお、上述した第１、第２の各実施形態では、検出素子１３が圧電素子である場合について述べたが、これに限らず、例えば図８に示す変形例のように、検出素子３０は、スライド操作部１２が接触した状態でスライドする際に、スライド操作部１２を介して指先Ｆに微弱電流が流れることにより、スライド操作部１２のスライド位置を電気的に検出する静電素子であっても良い。
【００８１】
この場合には、図８に示すように、スライド操作部１２に金属や導電性ゴムなどの導電体３１を設け、この導電体３１の下端部を検出素子３０にスライド可能に接触させ、導電体３１の上端部をスライド操作部１２の上部に露出させ、この露出した導電体３１の上端部に指先Ｆを接触させた状態で、スライド操作部１２をスライドさせるように構成されていれば良い。また、この検出素子３０も、第１実施形態と同様、屈曲性を有するシート状に形成されている。
【００８２】
また、この検出素子３０が配置されるガイド部は、図８では、上部ケース３に一体に形成されたガイド部２１であるが、これに限らず、図５に示された第１実施形態のガイド部１０であっても良い。このような静電素子の検出素子３０を用いても、第１実施形態および第２実施形態と同様、スライド操作部１２のスライド位置を正確にかつ良好に検出することができる。
【００８３】
また、上述した第１、第２の各実施形態では、スライド操作部１２の一対のスライド突起部１２ｂにおける各外端部側に位置する各上部角部が円弧状に形成されている場合について述べたが、これに限らず、一対のスライド突起部１２ｂにおける各外端部をその下部から上部に亘って円弧状に形成しても良く、また一対のスライド突起部１２ｂを球状に形成しても良い。このような形状で一対のスライド突起部１２ｂを形成すれば、ガイド保持部１１、２３に対して、より一層、円滑にスライドさせることができる。
【００８４】
また、上述した第１、第２の各実施形態では、スライドスイッチ８、２０が楽音の音量を調整する音量スイッチである場合について述べたが、これに限らず、例えば音色のパラメータを選択する音色スイッチ、あるいは演奏中の楽音に効果を付与するピッチベンドスイッチなどの各種のスイッチであっても良く、このようなスイッチであっても、音量スイッチの場合と同様に、スライド操作することができる。
【００８５】
さらに、上述した第１、第２の各実施形態では、電子鍵盤楽器に適用した場合について述べたが、必ずしも電子鍵盤楽器である必要はなく、例えば電子ギターなどの電子弦楽器、または電子管楽器などにも適用することができる。また、必ずしも楽器である必要はなく、例えば携帯電話機、携帯情報処理装置などの各種の電子機器にも広く適用することができる。
【００８６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８７】
（付記）
請求項１に記載の発明は、長手方向の両側部にガイド保持部を有する帯状のガイド部と、
前記ガイド保持部によってスライド可能に保持されたスライド操作部と、前記ガイド部の長手方向に沿って配置され、当該ガイド部上における前記スライド操作部の位置を検出する検出素子と、を備えていることを特徴とするスライドスイッチである。
【００８８】
請求項２に記載の発明は、請求項１に記載のスライドスイッチにおいて、前記ガイド部は、可撓性を有していることを特徴とするスライドスイッチである。
【００８９】
請求項３に記載の発明は、請求項２に記載のスライドスイッチにおいて、前記ガイド部は、取付部材によってケース本体にその形状に沿って取り付けられていることを特徴とするスライドスイッチである。
【００９０】
請求項４に記載の発明は、請求項１に記載のスライドスイッチにおいて、前記ガイド部と前記ケース本体とが一体に形成されていることを特徴とするスライドスイッチである。
【００９１】
請求項５に記載の発明は、請求項１〜請求項４のいずれかに記載のスライドスイッチにおいて、前記検出素子は、前記スライド操作部が圧接した状態でスライドすることにより、前記スライド操作部のスライド位置上に発生するひずみを検出する圧電素子であることを特徴とするスライドスイッチである。
【００９２】
請求項６に記載の発明は、請求項１〜請求項４のいずれかに記載のスライドスイッチにおいて、前記検出素子は静電素子で構成され、前記スライド操作部は導電体を備え、前記導電体の下端部を前記検出素子にスライド可能に接触させ、かつ前記導電体の上端部を前記スライド操作部の上端部に露出させることを特徴とするスライドスイッチである。
【００９３】
請求項７に記載の発明は、請求項１〜請求項６のいずれかに記載のスライドスイッチにおいて、前記検出素子を前記ケース本体内の電子回路と接続する接続部材を備えていることを特徴とするスライドスイッチである。
【００９４】
請求項８に記載の発明は、請求項１〜請求項７のいずれかに記載されているスライドスイッチを備えていることを特徴とする楽器である。
【符号の説明】
【００９５】
１  楽器ケース
２  下部ケース
３  上部ケース
４  鍵盤部
８、２０  スライドスイッチ
１０、２１  ガイド部
１１、２３  ガイド保持部
１２  スライド操作部
１２ａ  操作本体部
１２ｂ  スライド突起部
１２ｃ  接触部
１３、３０  検出素子
１４  接着材
１５  接続部材
１５ａ  配線基板
１５ｂ  コネクタ部
１６  回路基板
１７  防塵シート
１８  電子回路
２２  開口部
２４  カバー部材
２４ａ  ガイド孔
２４ｂ  ガイド押え部
３１  導電体
【図１】
0006473961.tif 000002
【図２】
0006473961.tif 000003
【図３】
0006473961.tif 000004
【図４】
0006473961.tif 000005
【図５】
0006473961.tif 000006
【図６】
0006473961.tif 000007
【図７】
0006473961.tif 000008
【図８】
0006473961.tif 000009